(57)【特許請求の範囲】
【請求項１】
可動部と固定部を有し、該可動部と該固定部をハーネスで結線する電子電気機器において、
前記可動部は、前記固定部に対して回動可能なリンクを介して連結され、
前記リンクに設けられ前記ハーネスを保護するハーネスガイド及びストッパ部材を回動可能に備え、
前記ハーネスガイドは、前記ハーネスを通すための凹部としての、開口面を有する開口部を具備し、
前記ストッパ部材は、前記固定部に対してその位置が固定される構成であり、
前記ハーネスガイドは、前記ハーネスを前記開口部に対して這回しした後に、前記リンクと共に円弧状に回動し、
前記ストッパ部材の前記位置が固定されることにより前記開口面の少なくとも一部を閉じることを特徴とする電子電気機器のハーネス保護構造。
【請求項２】
請求項１に記載の電子電気機器のハーネス保護構造において、
前記ストッパ部材は、モールドや板金などの剛体であることを特徴とする電子電気機器のハーネス保護構造。
【請求項３】
請求項１又は２に記載の電子電気機器のハーネス保護構造において、
前記ストッパ部材は、回動位置の位置決め部を備えたことを特徴とする電子電気機器のハーネス保護構造。
【請求項４】
請求項１乃至請求項３のいずれかに１つに記載の電子電気機器のハーネス保護構造において、
前記ハーネスガイドの前記開口部には、該開口部に通される前記ハーネスが収まるスペースが確保されていることを特徴とする電子電気機器のハーネス保護構造。
【請求項５】
請求項１乃至請求項４のいずれか１つに記載の電子電気機器のハーネス保護構造を用いたことを特徴とする画像形成装置。
【発明の詳細な説明】
【技術分野】
【０００１】
本発明は、電子電気機器のハーネス保護構造及び画像形成装置に関する。
【背景技術】
【０００２】
複写機などの画像形成装置のような多数の電装部品を備える電子電気機器において、各電装部同士はハーネスにより結線されているのが一般的である。このような画像形成装置では、用紙詰まりへの対処を容易にするため、用紙搬送装置の一部ユニットを筐体に対して可動な構成を取っている。このような可動ユニットに搭載された電装部品への結線手段として、弾力性に富んだフラットケーブルを使用する例があるが、コストが増加することが問題となる。
【０００３】
これを解決するため、安価なハーネスと、ハーネスを保護するハーネス保護部材を用いることで、比較的安価な構成で相対移動する電装部品間の結線を行う方法が既に知られている。
【０００４】
しかし、既知のハーネス保護部材では、ハーネス保護部材が動く際にハーネスがハーネス保護部材から飛び出してしまうことがあった。具体的に説明すると、従来公知のハーネス保護部材は、コの字型などの開口した形状をしており、這回し時には問題がないが、ユニットを動かすとハーネスやハーネス保護部材も動くことで、ハーネスが所定の位置からずれて開口部から飛び出してしまうという問題があった。また、閉口した形状のハーネスガイドでは、ハーネスの飛び出しは防止できるが、コネクタが挿入できる断面積が必要であり、スペースを大きくとる必要があるという問題があった。
【０００５】
そこで、低コストでありながら、固定部と可動部とを結線するハーネスを保護できるハーネスガイドを提供することを目的とし、コ字状に配置される形状のハーネスガイドを２つ以上連結した構成が提案されている（例えば特許文献１参照）。この提案に係る技術は、確かに低コストでありながら、固定部と可動部とを結線するハーネスを保護することができるハーネスガイドを提供しようとするものであるが、可動時にハーネスが飛び出すことがあるという問題は解消できていない。
【発明の概要】
【発明が解決しようとする課題】
【０００６】
本発明は、省スペースで、ハーネス保護部材が動いても、ハーネスが確実に飛び出さないようにする電子電気機器のハーネス保護構造、画像形成装置を提供することを目的とする。
【課題を解決するための手段】
【０００７】
本発明に係る電子電気機器のハーネス保護構造は、可動部と固定部を有し、該可動部と該固定部をハーネスで結線する電子電気機器において、前記可動部は、前記固定部に対して回動可能なリンクを介して連結され、前記リンクに設けられ前記ハーネスを保護するハーネスガイド及びストッパ部材を回動可能に備え、前記ハーネスガイドは、前記ハーネスを通すための凹部としての、開口面を有する開口部を具備し、前記ストッパ部材は、前記固定部に対してその位置が固定される構成であり、前記ハーネスガイドは、前記ハーネスを前記開口部に対して這回しした後に、前記リンクと共に円弧状に回動し、前記ストッパ部材の前記位置が固定されることにより前記開口面の少なくとも一部を閉じることを特徴とする。
【発明の効果】
【０００８】
本発明によれば、省スペースで、ハーネスを保護するための部材であるハーネスガイドが動いても、ハーネスがハーネスガイドから確実に飛び出さないようにできる。
【図面の簡単な説明】
【０００９】
【図１】本発明の実施対象となる画像形成装置及び大容量給紙装置、後処理装置の外観を表している図である。
【図２】手差ユニットの全体図である。
【図３】リンクが動く時に、ハーネスガイドからハーネスが飛び出す状況について説明する図（ハーネスの通常状態を示す図：（ａ））、リンクが動く時に、ハーネスガイドからハーネスが飛び出す状況について説明する図（ハーネス飛び出し状態を示す図：（ｂ））である。
【図４】本発明の実施形態１における手差トレイの可動なリンク部の拡大図である。
【図５】ハーネス飛出し防止用のストッパを取り付けする状態を示した図（ａ）、ハーネス飛出し防止用のストッパを取り付けた状態を示した図（ｂ）である。
【図６】ハーネスのはみ出し防止効果を説明するための図である。
【図７】省スペース化の効果について説明するためのハーネス這回し状態（閉口）を示す図（ａ）、同じくハーネス這回し状態（開口）を示す図（ｂ）である。
【図８】ハーネスの飛出し防止用ストッパの実施形態２を説明するための図である。
【発明を実施するための形態】
【００１０】
本発明の実施の形態を図面を参照して以下に説明する。
図１は、本発明の実施対象となる電子電気機器の一例として示す画像形成装置である。図示の例は、画像形成装置１００に、大容量給紙装置２００及び後処理装置３００を組み合わせたものであり、図１はその外観を表している。本発明は、可動部に電装部品を持ち、ハーネスで結線する箇所に対して適用されるものであり、以下の実施形態の説明では図１に示した手差ユニット１を用いて説明するが、本発明がこの例に限定されるものではない。
【００１１】
図２は、手差ユニット１の全体を示す斜視図である。図示の手差ユニット１は、手差トレイ２と給紙部３から構成されている。手差トレイ２は、使用時に開き、使用しない場合は閉じることができるように、リンクの回動により開閉動作する構成を取っている。
【００１２】
図３は、図２に示した手差トレイ２の可動なリンク部（矢印Ｘで示した部分）の拡大図である。手差トレイ２はリンク４と連結されており、リンク４は回動支点の周りで回動することで、手差トレイ２が動く構成となっている。可動部である手差トレイ２と、画像形成装置本体側の制御回路を結線するハーネス８は、手差トレイ２の開閉時にリンク４の回動と連動する構成となっている。リンク４にはハーネス８を取り付けられるように、コ字型のハーネスガイド６が設けられている。
【００１３】
図３を参照して、リンク４が動く時にハーネスガイド６からハーネス８が飛び出す状況について説明する。なお図３（ａ）はハーネス８の通常状態を示す図、図３（ｂ）はハーネス８の飛び出し状態を示す図である。
【００１４】
図３（ａ）は、リンク４のハーネスガイド６に正しくハーネス８が収まっている状態を示している。手差トレイ２の開閉によってハーネス８がそれ自体のコシによって動き、ハーネスガイド６のコの字部の開口部７から飛び出す場合がある（図３（ｂ）参照）。ハーネス８がハーネスガイド６から飛出しすると、リンク４と連動して動くことができなくなり、機能が果たせなくなることに加え、ハーネス８のたわみ部が、給紙部３側の搬送面や他の可動部など、入り込んではいけない箇所に入り込んでしまう場合がある。
【００１５】
＜実施形態１＞
図４は、本発明の実施形態１に係る手差トレイ２の可動なリンク部の拡大図である。図２、図３に示した例のように、手差トレイ２とリンク４が連結されており、リンク４は回動支点５に対して回動することで、手差トレイ２が動く構成となっている。また、可動部である手差トレイ２と、本体側の制御回路を結線するハーネス８は、手差トレイ２の開閉時にリンク４の回動と連動する。
【００１６】
図５、図６は、実施形態１における、ハーネス飛出し防止用のストッパ部材の取り付け方法について説明するための図である。図５（ａ）はストッパ部材の取り付け状態を示す図、図５（ｂ）はストッパ部材の取り付け後の状態を示す図である。また図６は ハーネスはみ出し防止効果を説明するための図である。図中９が、ハーネス飛出し防止用のストッパ部材（以下、単にストッパと記載する）である。ストッパ９はハーネスガイド６の回動軌跡にならった円弧状の形状を持ち、ハーネスガイド６が動いても、常に開口部７は閉じている状態になる構成をもつ。
【００１７】
以下にストッパ９の取り付け方法を説明する。
まず、リンク４のハーネスガイド６にハーネス８をセットする。続いて、ストッパ９を図５（ａ）の状態から矢印方向に回動させ、給紙部３の位置決め用エンボス１２の位置にセットする。この時、ストッパ９の留め部１１は、給紙部３の板厚部１３を挟み込む形状とし、位置決め用エンボス１２の位置にて、固定できるようにする。セット後は動かない。なお、本実施形態では、ストッパ９は、リンク４の回動支点５とは別の回動支点１０を持つが、同一回動支点としても良い。そしてストッパ９取り付け後は、図６に示したように、開口部７を閉じるため、ハーネスガイド６からハーネス８は飛び出さない。
【００１８】
ストッパ９は、モールドや板金などの剛体で構成することが好ましい。クランプなどの弾性体で構成すると、ハーネス８を引っ張った時にストッパ９が変形し、ハーネス８が自由に移動してしまい、ハーネスガイド６の役割を果たせないことがあり得る。またストッパ９は、回動支点と回動位置の位置決め部を備えたものとすることが好ましい。固定部への固定することでハーネスガイド６が動いてもハーネス８が動かないように構成できる。ハーネスガイド６へ固定することで、連動して動くように構成することもできる。
【００１９】
図７は、本実施形態の省スペース化の効果について説明するための図であり、図７（ａ）は ハーネス８を這回した状態（閉口）の図、図７（ｂ）はハーネス８を這回した状態（開口）の図である。
ハーネス８は、画像形成装置本体側の制御回路と電気的に接合するためのコネクタ１４を有し、コネクタ１４の多くはハーネス束１５の径より大きい。従来は図７（ａ）のように閉口したハーネスガイド１６があるが、この場合は、ハーネスをハーネスガイド１６の開口部へ挿入して這回しを行う必要がある。そのため、ハーネスガイド１６の開口部はコネクタ１４が挿入できる断面積をもたなければならない。
【００２０】
これに対し図７（ｂ）に示すように、開口した形状のハーネスガイド１７に対し、ハーネスを這回しした後、開口部を閉じるストッパ１８を取り付けする構成を取る。このことで、ハーネスガイドの断面積はコネクタ１４の大きさを問わず、ハーネス束１５の径が収まればよいため、省スペース化を図ることができる。すなわち、本発明の実施形態では、ハーネスガイドとストッパを別部材にすることで、ハーネスガイドからハーネスが飛出ししない効果の他に、省スペース化の効果も得られる。
【００２１】
すなわち、コ字状、Ｌ字、半円などの、開口面を有する形状のハーネスガイドに対して、ハーネスを這回しした後、開口面に対してガイド面（上述の実施形態ではストッパ）を取り付けることで開口面が閉じることにより省スペース化を図れている。
【００２２】
＜実施形態２＞
図８は、本発明の実施形態２に係るハーネス飛出し防止用ストッパについて説明するための図である。
本実施形態では、ストッパ９がリンク４と連動して動く構成である。ストッパ９はリンク４と同一の回動支点５を持ち、ハーネスガイド６に差し込みをし、リンク４に対して固定する。ストッパ９により、ハーネスガイド６の開口部７は閉じられるため、ハーネスガイド６からハーネス８は飛び出さない。その他の構成、作用は実施形態１と共通するので重複する説明を省略する。
【００２３】
以上説明してきたように、本発明によるハーネス飛出し防止効果は、動く開口部（コ字状、Ｌ字、半円など）をもつハーネスガイドに対して、ハーネスを這回しした後、開口面に対して、ガイド面（ストッパ）を取り付けて開口部を閉じることで達成される。
また本発明による省スペース効果は、開口した形状のハーネスガイドに対し、ハーネスを這回しした後、開口部を閉じるストッパを取り付けする構成を取る。このことで、ハーネスガイドの断面積は、コネクタの大きさを問わず、ハーネス束の径が収まるスペースを確保すればよいため達成される。
【００２４】
本発明は以上説明した実施形態に限定されるものではなく、多くの変形が本発明の技術的思想内で当分野において通常の知識を有する者により可能である。
【符号の説明】
【００２５】
１      ：手差ユニット
２      ：手差トレイ（可動部）
３      ：給紙部（固定部）
４      ：リンク
５      ：回動支点
６      ：ハーネスガイド
７      ：開口部（凹部）
８      ：ハーネス
９      ：ストッパ（ストッパ部材）
１０    ：回動支点
１１    ：留め部
１２    ：位置決め用エンボス
１３    ：板厚部
１４    ：コネクタ
１５    ：ハーネス束
１６、１７    ：ハーネスガイド
１８    ：ストッパ（ストッパ部材）
１００  ：画像形成装置
２００  ：大容量給紙装置
３００  ：後処理装置
【先行技術文献】
【特許文献】
【００２６】
【特許文献１】特開２００4−255829号公報
【図１】
0006446996.tif 000002
【図２】
0006446996.tif 000003
【図３】
0006446996.tif 000004
【図４】
0006446996.tif 000005
【図５】
0006446996.tif 000006
【図６】
0006446996.tif 000007
【図７】
0006446996.tif 000008
【図８】
0006446996.tif 000009